(57)【要約】      （修正有）【課題】患者の背中の除圧を簡便な装置で実現する床ずれ防止装置を提供する。【解決手段】人体の幅と略同じ長さの細長い挿し込み部本体１と、この挿し込み部本体の端部に取り付けられたハンドル３と、前記挿し込み部本体に空気を注入するポンプ部２とからなり、前記挿し込み部本体は、空気を注入することにより膨張するエアチューブ４と、このエアチューブの上面に配置された半硬質の挿し込み上板５ａとエアチューブの下面に配置された挿し込み下板５ｂとからなり、空気を抜き取った状態で、寝具と人体の間に挿入可能な厚さとする。具体的には、挿し込み部本体の長さを４０〜５０ｃｍ、幅を１０ｃｍ程度とし、空気を抜き取った状態での挿し込み部本体の基端部側の厚さを２０ｍｍ程度、先端部側の厚さを１０ｍｍ程度のテーパー状とし、空気を注入してエアチューブを膨張させた状態での挿し込み部本体の厚さを５〜１０ｃｍとした。【選択図】図１
0003169448.tif 000002
【実用新案登録請求の範囲】
【請求項１】
人体の幅と略同じ長さの細長い挿し込み部本体と、この挿し込み部本体の端部に取り付けられたハンドルと、前記挿し込み部本体に空気を注入するポンプ部とからなり、前記挿し込み部本体は、空気を注入することにより膨張するエアチューブと、このエアチューブの上面に配置された半硬質の挿し込み上板とエアチューブの下面に配置された挿し込み下板とからなり、空気を抜き取った状態で、寝具と人体の間に挿入可能な厚さとしたことを特徴とする床ずれ防止装置。
【請求項２】
挿し込み部本体の長さを４０〜５０ｃｍ、幅を１０ｃｍ程度とし、空気を抜き取った状態での挿し込み部本体の基端部側の厚さを２０ｍｍ程度、先端部側の厚さを１０ｍｍ程度のテーパー状として寝具と人体の間に挿入可能な厚さとし、空気を注入してエアチューブを膨張させた状態での挿し込み部本体の厚さを５〜１０ｃｍとしたことを特徴とする請求項１記載の床ずれ防止装置。
【請求項３】
ハンドルは、片手で握る形状としたことを特徴とする請求項１又は２記載の床ずれ防止装置。
【請求項４】
挿し込み上板は、高強度、高耐熱性の繊維で補強したビニールで形成したことを特徴とする請求項１、２又は３記載の床ずれ防止装置。
【請求項５】
挿し込み上板は、半硬質ゴムで形成したことを特徴とする請求項１、２又は３記載の床ずれ防止装置。
【考案の詳細な説明】
【技術分野】
【０００１】
本考案は、寝たきり患者等の床ずれを防止するために除圧（患者の身体と寝具の間の接触圧を一瞬開放）するための簡便な床ずれ防止装置に関するものである。
【背景技術】
【０００２】
自ら寝返りをうつことができない寝たきり患者は、仰臥したままの同じ体位でいるため、仙骨をはじめとする身体の突出部位の皮膚や表層組織が体重による圧迫で血行障害を起こし易くなっている。
この血行障害を起こした状態で長時間放置すると、当該部位の細胞組織が壊死を起こして褥瘡（床ずれ）となることが知られている。
褥瘡は、体力が衰えた高齢の患者において発症しやすく、また発症して一旦悪化させると治癒することが困難になり慢性化し、常に患者に苦痛を与えることになり高齢の患者にとっては非常に深刻な疾患である。
【０００３】
この褥瘡を防止するためには、一定時間、例えば１〜２時間ごとに仰向け、右向き、左向きと体位を変えて圧迫される部位を変えてやる必要がある。
しかし、寝たきりとなっている原因である疾患の種類や状態によっては、体位を変えるだけでも患者に大きな負担や苦痛を与えることになる。
そのため、患者の背中の下に両手を挿し込み身体を静かに持ち上げ、圧迫されている部位を圧迫から開放する除圧を行なうだけでも床ずれの予防に効果的である。
この人力による除圧は、体位を変えるために患者の身体を傾ける以上に介護者の力を必要とするため、女性が多い病院の看護士では非常に大きな負担となり、家庭内での介護ではなおさら介護者に大きな負担をかけることになる。
【０００４】
このような寝たきり患者の体位の変更や除圧を、ベッドに設置した装置で人力に代わって行なう装置が数多く提案されている。
例えば、図４に示すものは、空気を注入することにより膨張する袋状のエアセル２１をベースシート２３上に複数個並べて配置し、ポンプ２２から各エアセル２１へ注入する空気の量を時間とともに変化させることによって各エアセル２１の高さを変え、体重で圧迫される部位を変えるものである（特許文献１）。
例えば、２つおきのエアセル２１を小さく膨張させ、残りのエアセル２１を大きく膨張させておき、所定時間ごと又は常時ゆっくりと順次エアセル２１の高さを変えて圧迫される部位を変えるようにし、長時間同じ部位が圧迫されないように構成されている。
【先行技術文献】
【特許文献】
【０００５】
【特許文献１】特開２００８−３０７２４９号公報
【考案の概要】
【考案が解決しようとする課題】
【０００６】
上述のような従来の装置は、寝たきり患者の体重による圧迫部位を人力に頼らずに変えることができ、設備が整った病院などでは看護士などの肉体的な負担を軽減することができるが、大掛かりな装置であって高価であるだけでなく、背中全体をマッサージするように作用するので、皮膚が弱っている患者には褥瘡を助長する恐れもあるなどの問題があった。
【０００７】
本考案は、身体と寝具の間の接触圧を一瞬開放して除圧するだけでも褥瘡防止対策に有効であることに鑑み考案されたもので、患者の背中の下に両手を挿し込み身体を静かに持ち上げるという動作を介護者に代わって行うようにし、自宅で介護をしているような個人的な環境であっても導入することができ、必要に応じて病院等へ持ち運んで利用することができるようにしたものである。
【課題を解決するための手段】
【０００８】
本考案の請求項１は、人体の幅と略同じ長さの細長い挿し込み部本体と、この挿し込み部本体の端部に取り付けられたハンドルと、前記挿し込み部本体に空気を注入するポンプ部とからなり、前記挿し込み部本体は、空気を注入することにより膨張するエアチューブと、このエアチューブの上面に配置された半硬質の挿し込み上板とエアチューブの下面に配置された挿し込み下板とからなり、空気を抜き取った状態で、寝具と人体の間に挿入可能な厚さとしたことを特徴とするものである。
【０００９】
本考案の請求項２は、請求項１の考案において、挿し込み部本体の長さを４０〜５０ｃｍ、幅を１０ｃｍ程度とし、空気を抜き取った状態での挿し込み部本体の基端部側の厚さを２０ｍｍ程度、先端部側の厚さを１０ｍｍ程度のテーパー状として寝具と人体の間に挿入可能な厚さとし、空気を注入してエアチューブを膨張させた状態での挿し込み部本体の厚さを５〜１０ｃｍとしたことを特徴とするものである。
【００１０】
本考案の請求項３は、請求項１又は２の考案において、ハンドルは、片手で握る形状としたことを特徴とするものである。
【００１１】
本考案の請求項４は、請求項１、２又は３の考案において、挿し込み上板は、高強度、高耐熱性の繊維で補強したビニールで形成したことを特徴とするものである。
【００１２】
本考案の請求項５は、請求項１、２又は３の考案において、挿し込み上板は、半硬質ゴムで形成したことを特徴とするものである。
【考案の効果】
【００１３】
請求項１記載の考案によれば、非常に体力を要する床ずれ防止のための除圧を極めて簡単に行なうことができ、かつ、非常に簡単な構成の安価な装置であって、必要に応じて持ち運んで使用できるので経済的な負担が極めて少なく、自宅で介護をしているような個人的な環境であっても導入することができるという効果を有する。
【００１４】
請求項２記載の考案によれば、空気を抜き取った状態での挿し込み部本体の基端部側の厚さを２０ｍｍ程度、先端部側の厚さを１０ｍｍ程度のテーパー状としたので、患者の身体の下に無理なくスムーズに挿し込むことができるという効果を有する。
【００１５】
請求項３記載の考案によれば、ハンドルは、片手で握る形状としたので、患者の身体の下に挿し込み部本体を挿し込む際に無理に押し込むことなく、皮膚が弱っている患者に対して使うような場合に、患者の皮膚に傷をつけることがないという効果を有する。
【００１６】
請求項４及び５記載の考案によれば、挿し込み上板は、高強度、高耐熱性の繊維（例えば、ケブラー繊維（登録商標））で補強したビニール又は半硬質ゴムで形成したので湾曲が少なく、挿し込み部本体全体で患者の身体の浮揚することができるという効果を有する。
【図面の簡単な説明】
【００１７】
【図１】本考案の床ずれ防止装置を示すもので、（ａ）はエアチューブが膨張した状態を示す側面図、（ｂ）は、エアチューブから空気を完全に抜いて最小厚状態とした側面図、（ｃ）は平面図である。
【図２】図１の挿し込み部本体の断面を示すもので、（ａ）はエアチューブが膨張した状態を示す断面図、（ｂ）はエアチューブから空気が抜かれて側面部が折り畳まれて収納されることを示す断面図、（ｃ）はエアチューブから空気を完全に抜いて最小厚とした状態を示す断面図である。
【図３】ハンドルの他の実施例を示す側面図である。
【図４】従来の床ずれ防止装置を示す斜視図である。
【考案を実施するための形態】
【００１８】
挿し込み部本体を、厚さ１０〜２０ｍｍ程度の最小厚として寝具と患者の身体の間に挿し込み、挿し込み後にポンプで空気を注入することにより前記挿し込み部本体を膨張させて患者の身体を浮揚させ、体重で圧迫されている部位の除圧を行なうように構成した。
【実施例１】
【００１９】
次に、本考案による床ずれ防止装置の一実施例を図１及び図２に基づき説明する。
図１（ａ）（ｂ）（ｃ）は、本考案による床ずれ防止装置の側面図及び平面図である。
１は、幅が１０ｃｍ程度、長さが人体の幅と略同じ４０〜５０ｃｍの舌状の挿し込み部本体であり、この挿し込み部本体１の一端側にポンプ部２が設けられ、このポンプ部２と一体的に形成された片手で握るハンドル３が設けられている。
また、ポンプ部２からは商用電源に接続する電源コード（図示せず）が接続されている。
【００２０】
前記挿し込み部本体１は、図２（ａ）に示すように、ポンプ部２で空気を注入することにより膨張するエアチューブ４とこのエアチューブ４の上面に配置されたやや肉厚の挿し込み上板５ａと下面側に配置された挿し込み下板５ｂからなり、この挿し込み上板５ａは、患者の体重で大きく撓んだり、患者の皮膚に損傷を与えたりしない程度の半硬質で、持ち上げた身体をフラットな状態に保てるように、高強度、高耐熱性の繊維（例えば、ケブラー繊維（登録商標））で補強したビニール板、半硬質のゴム板で形成されている。
【００２１】
この挿し込み上板５ａと下板５ｂの表面は、衣類やシーツなどと摩擦抵抗が大きすぎず、かつ浮揚時に滑ってしまうことがない程度の滑らかさに仕上げられている。
挿し込み下板５ｂは、寝具に沈み込まないような幅及び面積を有している。
前記エアチューブ４は、図２（ｂ）に示すように、空気を抜いた時にはエアチューブ４の側面部９が折り畳まれて挿し込み板上５ａと下板５ｂの間に収納され、膨張時には５〜１０ｃｍの高さになるようになっている。
また、挿し込み部本体１は、図１（ｂ）に示す空気を完全に抜いた最小厚状態で、基端部側６が２０ｍｍ程度、先端部側７が１０ｍｍ程度となるように、テーパー状に形成され患者の身体と寝具の間に挿入し易くなっている。
【００２２】
前記ハンドル３には、ポンプ部２を作動させるためのスイッチ８が設けられ、ポンプ部２のオン・オフと内部のバルブの切換えを行い、エアチューブ４の膨張・停止・減圧（又は負圧）の３つの切り替えができるようになっている。
【００２３】
次に、以上の構成による床ずれ防止装置を２台使って身体を浮揚させる作用を説明する。
まず、電源コードを商用電源のコンセントに挿し込み、スイッチ８をオンにしポンプ部２を作動させ、エアチューブ４から図２（ｃ）に示すように空気を完全に抜いた最小厚状態にする。又は、スイッチ８をオフにしたままバルブを開放し、差込上板５ａの上から押し下げてエアチューブ４から空気を抜く。
ハンドル３を握り、除圧したい部位の近傍を挟んだ両側に１台ずつ、挿し込み部本体１を患者の身体の下に軽く差し込む。このとき挿し込みに無理があるような場合には強引に押し込まずに挿し込む場所を変える。
【００２４】
挿し込み部本体１を患者の身体の下に挿し込んだら、スイッチ８を膨張に切替えてポンプ部２によりエアチューブ４に空気を送り込んで膨張させる。
寝具で圧迫されている部位が浮いた状態になったらポンプ部２を停止する。このとき、エアチューブ４は、寝具で圧迫されている部位が浮けば充分であるので最大限に膨張させなくともよい。
【００２５】
この状態を数分から１０分程度継続（圧迫された部位の血行が充分に回復）したら、スイッチ８を減圧（又は負圧）に切替えてエアチューブ４から強制的に抜くか、バルブを開放にして空気を患者の体重で空気を抜き最小厚状態にしてポンプ部３をオフし、挿し込み部本体１を患者の身体の下から抜きとる。
患者の身体を持ち上げる高さがさほど高くない（５ｃｍ程度）場合は、１台の床ずれ防止装置を使うだけでもよい。
【００２６】
以上の実施例において、寝具が柔らかすぎて挿し込み部本体１が沈んでしまって患者の身体が持ち上がらないような場合のために、挿し込み下板５ｂの幅の大きなものを用いたり、折り畳み式を広げたりして寝具との接触面積を広げられるようにしてもよい。
【００２７】
以上の実施例では、エアチューブ４は一体的な袋状のものとして形成したが、本考案はこれに限られるものではなく、挿し込み上板５ａと下板５ｂと別体の側面部９をこれらの上板５ａと下板５ｂの側部に空気が漏れないように溶着や接着で気密に結合してエアチューブ４を形成してもよい。
【００２８】
以上の実施例では、ハンドル３の形状を片手で持つグリップ型としたが、本考案はこれに限られるものではなく、図３に示すようにノブ状のハンドルでも良い。
但し、床ずれの防止策を講じなければならないような患者では皮膚が弱っていることが多く、軽く挿し込む程度であって無理な押し込みは禁物であるので両手で持つような形状や大きさは避けることが望ましい。
【符号の説明】
【００２９】
１…挿し込み部本体、２…ポンプ部、３…ハンドル、４…エアチューブ、５ａ…挿し込み上板、５ｂ…挿し込み下板、６…基端部側、７…先端部側、８…スイッチ、９…側面部。
【図１】
0003169448.tif 000003
【図２】
0003169448.tif 000004
【図３】
0003169448.tif 000005
【図４】
0003169448.tif 000006